(57)【特許請求の範囲】
【請求項１】
額縁等の四角形物品を収納する受箱と前記受箱に被せられる蓋箱とから成り、前記受箱には、その四隅を残して四辺に平面視横長台形状の中空壁が形成され、前記四隅には、三角柱状のコーナー受部が形成されることにより、前記各中空壁の両側開放端面と前記各コーナー受部の受面とによって平面視四角形状の凹部が形成され、前記受箱に前記額縁等を収納した際に、前記額縁の四辺は前記中空壁によって密着支持され、前記額縁等の４つの角部は前記凹部内に収まって、各角が前記コーナー受部の受面に当って支持され、また、その際に、前記額縁等の各角部の両側に指先を差し入れ可能な隙間が生成されることを特徴とする額縁等包装箱。
【請求項２】
前記受箱を一枚の紙材を折曲して組み立て可能にした請求項１に記載の額縁等包装箱。
【請求項３】
前記受箱の内底面に、前記中空壁に対する係止手段を設けた請求項１又は２に記載の額縁等包装箱。
【請求項４】
前記蓋箱の一部を切除して額縁等の収納物を透視可能にした請求項１乃至３のいずれかに記載の額縁等包装箱。
【請求項５】
前記蓋箱の側面に差込折曲片を設けると共に、前記受箱に、前記差込折曲片を差込むためのスリットを形成した請求項１乃至４のいずれかに記載の額縁等包装箱。
【発明の詳細な説明】
【０００１】
【発明の属する技術分野】
本発明は、額縁等包装箱、より詳細には、写真や絵画等の額縁やこれに類する四角形の額状物を、搬送時や保管時等に収納する厚紙又は段ボール製の受箱と蓋箱から成る額縁等包装箱に関するものである。
【０００２】
【従来の技術】
写真や絵画等を収める額縁は、一般に段ボール製の包装箱に入れられて搬送され、あるいは、保管される。この従来の包装箱は、単に段ボールを箱型に形成したもので、額縁の周囲は段ボール１枚で保護されることになる。また、額縁は受箱内に隙間なく収まるため、指を差込む隙間がなく、額縁を出し入れしにくい。
【０００３】
【発明が解決しようとする課題】
上述したように従来の額縁包装箱は、段ボール１枚で額縁を保護するため、外部からの衝撃を十分に吸収緩和することができず、大きな衝撃を受けた場合に額縁並びに作品を損傷する虞があり、また、受箱内に収まった額縁を取り出しにくいという欠点があった。
【０００４】
そこで本発明は、そのような欠点のない、即ち、外部からの衝撃吸収性にすぐれていて額縁（並びに作品）等の収納物を十分に保護でき、受箱からの額縁の取り出しも容易な額縁等包装箱を提供することを課題とする。
【０００５】
【課題を解決するための手段】
本発明は、額縁等の四角形物品を収納する受箱と前記受箱に被せられる蓋箱とから成り、前記受箱には、その四隅を残して四辺に平面視横長台形状の中空壁が形成され、前記四隅には、三角柱状のコーナー受部が形成されることにより、前記各中空壁の両側開放端面と前記各コーナー受部の受面とによって平面視四角形状の凹部が形成され、前記受箱に前記額縁等を収納した際に、前記額縁の四辺は前記中空壁によって密着支持され、前記額縁等の４つの角部は前記凹部内に収まって、各角が前記コーナー受部の受面に当って支持され、また、その際に、前記額縁等の各角部の両側に指先を差し入れ可能な隙間が生成されることを特徴とする額縁等包装箱、を以て上記課題を解決した。
【０００６】
好ましくは、前記受箱を一枚の紙材を折曲して組み立て可能にし、前記受箱の内底面に、前記中空壁に対する係止手段を設け、また、前記蓋箱の一部を切除して額縁等の収納物を透視可能にする。
【０００７】
【発明の実施の形態】
本発明の実施の形態を添付図面に依拠して説明する。図１は、本発明に係る包装箱を構成する額縁収納時の受箱１及び蓋箱３１を示す斜視図、図２は受箱１の斜視図、図３はその展開図、図４乃至図８は、その組立て方法を示す図である。
【０００８】
受箱１は、図３に示す展開状態から四辺を折返すことによって形成される中空壁２〜５と、折曲することによって三角柱状に形成されるコーナー受部６〜９を有する。
【０００９】
図示した例において長辺側の中空壁２、４は、連設された外側面１０と上面１１と内側面１２と折込面１３とで構成され、短辺側の中空壁３、５は、連設された外側面１４と上面１５と内側面１６と折込面１７とで構成される。
【００１０】
図３に示されるように、中空壁２、４の上面１１の両端１１ａ、１１ｂは、外側面１０の端部より少し内側に位置し、且つ、内側に傾斜する。また、内側面１２に連設される折込面１３の両端１３ａ、１３ｂは、外開きに傾斜する。各面の境界線は、折り線１８ａ〜１８ｄとされる。
【００１１】
中空壁３、５の外側面１４の両端は、延長されて折込片２０が形成される。上面１５の両端は、外側面１４の端部より少し内側に位置し、且つ、内側に傾斜する。また、内側面１６に連設される折込面１７の両端１７ａ、１７ｂは、外開きに傾斜する。各面の境界線は、折り線１９ａ〜１９ｄとされる。
【００１２】
外側面１４における上面１５の延設辺の両側に、コーナー受部６〜９を形成するための受部構成部が連設される。受部構成部は、直角三角形の上面２１と、上面の２１の斜辺に延設される受面２２と、上面２１の一辺に延設される折込片２３とから成る。
【００１３】
受箱１の底面２４の各辺の中央部には、適宜形状の差込片２５、２６が形成される。差込片２５、２６は内方側辺のみがつながっていて他の部分は切り離され、そのつながった辺から折り返して起立可能にされる。一方、各内側面１２、１６と折込面１３、１７の境界の折り線１８ｄ、１９ｄの各中央部に、差込片２５、２６の上部が差込まれるスリット２７、２８が形成される。
【００１４】
図３に示す展開状態から受箱１を組立てるには、差込片２５、２６を起こした状態で、各折り線１８ａ〜１８ｄ、１９ａ〜１９ｄを直角に折曲していき（図４、図５）、最後の折り線１８ａ、１９ａを折曲する際に、各差込片２５、２６をそれぞれ対応するスリット２７、２８に差込む（図６）。
【００１５】
上記工程において中空壁３を形成する際、折込片２０が中空壁２の外側面１０の内側に当接する（図６参照）。その状態から、受部構成部の受面２２と折込片２３を上面２１に対して直角に折曲し（図７）、次いで、上面２１を外側面１４に対して折曲することにより、三角柱状のコーナー受部６〜９を形成する（図８）。かくして受箱１が完成するが、この状態において、各中空壁２〜５は平面視において横長の台形状となり、また、各中空壁２〜５の両側開放端面と、各コーナー受部６〜９の受面２２とによって、平面視において四角形状の凹部３８が形成されることになる（図２参照）。後述するように、収納時において額縁３３の角部がこの凹部３８に収まることになる。
【００１６】
図９乃至図１３は、コーナー受部６〜９の他の構成例を示すものである。ここに示されるものは、上述したものに対し、更に、折込片２３に内側受面２９と支持底面３０とを延設したものである（図９）。
【００１７】
この場合は、内側受面２９に対して支持底面３０を折曲すると共に、折込片２３に対して内側受面２９を折曲し、また、上面２１に対して内側受面２９を折曲し、更に、上面２１に対して受面２２を折曲する（図１０）。次いで、上面２１に対して折込片２３を折曲すると、内側受面２９が受面２２の裏面に当接して三角柱状体が形成される（図１１）。その後外側面１４に対して上面２１を折曲することにより、コーナー受部６〜９が形成される（図１２）。
【００１８】
この実施形態の場合は、受面２２に加わる押圧力は内側受面２９から支持底面３０に伝わるが、支持底面３０の端面が折込片２３及び外側面１４に当たって押え止められるので、受面２２が額縁３３の角に押し込まれて凹むことがなく、額縁３３は確固と保持される。
【００１９】
蓋箱３１は、一般的な構成の蓋箱でもよいが、その表面の一部、例えば、四隅のうちの一ヶ所に三角形等の開口３２を設け、その部分に内側から透明ないし半透明のフィルムを張り、蓋箱３１を受箱１に被せた状態で、内部を透視可能にすることもできる（図１４）。
【００２０】
図１５に示す実施形態は、蓋箱３１の側面に差込折曲片３３を設けると共に、受箱１の側面下辺に沿って、差込折曲片３３に対応する位置にそれを差込むためのスリット３４を形成したものである。差込折曲片３３は、蓋箱３１の対向する２側面、あるいは、４側面に、縦に２本の平行な切離線を入れ、この切離線間を若干下方に延長し、且つ、切離線の上端間、並びに、側面の下辺に沿った線上に折曲線３５を入れることによって形成する。
【００２１】
この構成の場合、蓋箱３１を受箱１に被せた際に差込折曲片３３をスリット３４に差込めば、蓋箱３１が受箱１から容易に外れないようになり、以て、不用意に蓋箱１が開いて額縁が脱落して破損するようなことがなくなる。
【００２２】
上記いずれの実施形態の場合にも、受箱１に額縁３６を入れた場合、その四辺は中空壁２〜５によって支持され、４つの角部は凹部３８内に収まり、各角が受面２２に当ることによって支持されるので、外部からの衝撃は緩衝されて額縁に伝わりにくい。また、額縁収納時において、額縁３６の各角部両側に隙間３７ができ、そこに指先を挿入できるので、受箱１への額縁３６の出し入れが容易である。
【００２３】
なお、上記説明においては収納物を額縁としているが、これに限られる訳ではなく、これに類する四角形の額状収納物全てについて利用可能であることは言うまでもない。
【００２４】
【発明の効果】
本発明は、上述した通りであって、外部からの衝撃吸収性にすぐれていて額縁並びに作品等の収納物を十分に保護でき、受箱に対する額縁の出し入れが容易な額縁等包装箱を提供し得る効果がある。
【図面の簡単な説明】
【図１】本発明の一実施形態を示す斜視図である。
【図２】本発明の一実施形態における受箱の構成を示す斜視図である。
【図３】本発明の一実施形態における受箱の展開図である。
【図４】本発明の一実施形態における受箱の第１組立過程を示す図である。
【図５】本発明の一実施形態における受箱の第２組立過程を示す図である。
【図６】本発明の一実施形態における受箱の第３組立過程を示す図である。
【図７】本発明の一実施形態における受箱の第４組立過程を示す図である。
【図８】本発明の一実施形態における受箱の第５組立過程を示す図である。
【図９】本発明の他の実施形態における受箱の第１組立過程を示す図である。
【図１０】本発明の他の実施形態における受箱の第２組立過程を示す図である。
【図１１】本発明の他の実施形態における受箱の第３組立過程を示す図である。
【図１２】本発明の他の実施形態における受箱の第４組立過程を示す図である。
【図１３】図１２におけるＡ−Ａ線断面拡大図である。
【図１４】本発明の更に他の実施形態を示す斜視図である。
【図１５】本発明の更に他の実施形態を示す斜視図である。
【符号の説明】
１    受箱
２    中空壁
３    中空壁
４    中空壁
５    中空壁
６    コーナー受部
７    コーナー受部
８    コーナー受部
９    コーナー受部
１０    外側面
１１    上面
１１ａ  両端
１１ｂ  両端
１２    内側面
１３    折込面
１４    外側面
１５    上面
１６    内側面
１７    折込面
１７ａ  両端
１７ｂ  両端
１８ａ  折り線
１８ｂ  折り線
１８ｃ  折り線
１８ｄ  折り線
１９ａ  折り線
１９ｂ  折り線
１９ｃ  折り線
１９ｄ  折り線
２０    折込片
２１    上面
２２    受面
２３    折込片
２４    底面
２５    差込片
２６    差込片
２７    スリット
２８    スリット
２９    内側受面
３０    底面
３１    蓋箱
３２    開口
３３    差込折曲片
３４    スリット
３５    折曲線
３６    額縁
３７    隙間
【図１】
0004034554.tif 000002
【図２】
0004034554.tif 000003
【図３】
0004034554.tif 000004
【図４】
0004034554.tif 000005
【図５】
0004034554.tif 000006
【図６】
0004034554.tif 000007
【図７】
0004034554.tif 000008
【図８】
0004034554.tif 000009
【図９】
0004034554.tif 000010
【図１０】
0004034554.tif 000011
【図１１】
0004034554.tif 000012
【図１２】
0004034554.tif 000013
【図１３】
0004034554.tif 000014
【図１４】
0004034554.tif 000015
【図１５】
0004034554.tif 000016